(57)【要約】      （修正有）【課題】記録の際に、ホログラフィック記録層中に不要な露光および不要な干渉縞が形成されることを防止し、低ノイズでかつ大きな記録多重度を可能とし、かつ高SNRで再生を行うことができる、新規かつ簡易な構成の反射型のホログラフィック記録媒体を提供する。【解決手段】ホログラフィック記録層と、再生参照光を反射させて再生信号光を得るための反射層と、前記反射層及び前記ホログラフィック記録層間、又は前記ホログラフィック記録層の入射側に設けられ、前記ホログラフィック記録層に対する記録時において第１の偏光状態を形成し、前記ホログラフィック記録層に対する再生時において第２の偏光状態を形成する偏光可変層と、前記ホログラフィック記録層及び前記偏光可変層と前記反射層との間に設けられ、前記第１の偏光状態の光を吸収し、前記第２の偏光状態の光を透過する第１の偏光吸収層と、を具えるようにしてホログラフィック記録媒体を構成する。【選択図】図１
2011070750.tif 000002
【特許請求の範囲】
【請求項１】
記録信号光及び記録参照光を照射して得た干渉縞を記録情報として記録するためのホログラフィック記録層と、
前記ホログラフィック記録層に対し、前記記録信号光及び前記記録参照光の入射側と相対向する側に設けられ、前記ホログラフィック記録層の前記記録情報を再生する際に照射する再生参照光を反射させて、前記記録情報に関する再生信号光を、前記記録信号光及び前記記録参照光の前記入射側において得るための反射層と、
前記反射層及び前記ホログラフィック記録層間、又は前記ホログラフィック記録層の前記入射側に設けられ、前記ホログラフィック記録層に対する記録時において第１の偏光状態を形成し、前記ホログラフィック記録層に対する再生時において第２の偏光状態を形成する偏光可変層と、
前記ホログラフィック記録層及び前記偏光可変層と前記反射層との間に設けられ、前記第１の偏光状態の光を吸収し、前記第２の偏光状態の光を透過する第１の偏光吸収層と、
を具えることを特徴とする、ホログラフィック記録媒体。
【請求項２】
前記記録信号光、前記記録参照光及び前記再生参照光は、直線偏光であることを特徴とする、請求項１に記載のホログラフィック記録媒体。
【請求項３】
前記ホログラフィック記録媒体はカード状に形成されてなり、前記ホログラフィック記録層に対する記録及び再生は一次元的に行うことを特徴とする、請求項１又は２に記載のホログラフィック記録媒体。
【請求項４】
前記第１の偏光吸収層に対し、前記反射層と相対向する側に設けられた第２の偏光吸収層を具えることを特徴とする、請求項１に記載のホログラフィック記録媒体。
【請求項５】
前記記録信号光、前記記録参照光及び前記再生参照光は、円偏光であることを特徴とする、請求項４に記載のホログラフィック記録媒体。
【請求項６】
前記ホログラフィック記録媒体はディスク状に形成されてなり、前記ホログラフィック記録層に対する記録及び再生は、前記ホログラフィック記録媒体の回転に同期させて行うことを特徴とする、請求項５に記載のホログラフィック記録媒体。
【請求項７】
前記偏光可変層は、ファラデー効果を有する層であって、第１の磁場印加時において前記第１の偏光状態を形成し、第２の磁場印加時において前記第２の偏光状態を形成することを特徴とする、請求項１〜６のいずれか一に記載のホログラフィック記録媒体。
【請求項８】
前記偏光可変層は、ファラデー効果を有する層であって、磁場の印加時において前記第１の偏光状態を形成し、磁場の非印加時において前記第２の偏光状態を形成することを特徴とする、請求項１〜６のいずれか一に記載のホログラフィック記録媒体。
【請求項９】
前記偏光可変層は液晶層であって、第１の電圧印加時において前記第１の偏光状態を形成し、第２の電圧印加時において前記第２の偏光状態を形成することを特徴とする、請求項１〜６のいずれか一に記載のホログラフィック記録媒体。
【請求項１０】
前記偏光可変層は液晶層であって、電圧の印加時において前記第１の偏光状態を形成し、電圧の非印加時において前記第２の偏光状態を形成することを特徴とする、請求項１〜６のいずれか一に記載のホログラフィック記録媒体。
【請求項１１】
前記第１の偏光状態と前記第２の偏光状態とは、互いに直交する関係にあることを特徴とする、請求項１〜１０のいずれか一に記載のホログラフィック記録媒体。
【請求項１２】
前記第１の偏光吸収層は、直線偏光吸収層であることを特徴とする、請求項１〜１１のいずれか一に記載のホログラフィック記録媒体。
【請求項１３】
前記第２の偏光吸収層は、直線偏光吸収層であることを特徴とする、請求項４〜１１のいずれか一に記載のホログラフィック記録媒体。
【発明の詳細な説明】
【技術分野】
【０００１】
本発明は、ホログラフィ技術を利用して情報を記録再生する際に用いるホログラフィック記録媒体に関する。
【背景技術】
【０００２】
ホログラフィック記録媒体への記録は、イメージ情報を持った信号光と参照光とを記録層に照射して、干渉縞として情報を記録媒体に記録することにより行われる。ホログラフィック記録媒体からの再生は、上記したイメージ情報が記録された記録層に参照光を照射して、イメージ情報を読み出すことによって行われる。
【０００３】
ホログラフィック記録は、上記イメージ情報を１ページとして、ページ単位で一括記録、再生でき、かつ、媒体の同一箇所にページを多重記録できることから、従来のCD、DVD、ブルーレイディスクで用いられるビット・バイ・ビットの記録方式に替わる高速かつ大容量の光記録方式として期待される技術である。
【０００４】
ホログラフィック記録媒体には大別して、反射層を設けずに光を透過させて記録再生を行う透過型媒体と、反射層を設けて反射光を利用して記録再生を行う反射型媒体とに分類される。
【０００５】
透過型媒体においては更に、媒体面に対して同一側から信号光と参照光とを照射して記録を行い、参照光を記録位置に照射してホログラムによる回折光を透過させて再生を行う方法（ホログラムの分類上は透過型ホログラム）と、媒体面に対して互いに異なる側から信号光と参照光とを照射して記録を行い、参照光を記録位置に照射してホログラムによる回折光を反射させて再生を行う方法（ホログラムの分類上は反射型ホログラム）とがある。
【０００６】
この中でも透過型ホログラムにおいて、記録時に信号光と参照光とを照射した側と反対面側から参照光を照射して信号を位相共役光として再生するものは位相共役再生と呼ばれ、レンズ系の収差に代表される光学系に起因する歪の多くが再生時にキャンセルされ、SNR (signal-to-noise ratio) 良く歪の少ないイメージ情報を再生する手段として特に有効である。ただし透過型媒体においては、透過型ホログラム、反射型ホログラムいずれの場合も、媒体面に対して両方向に記録再生光学系が必要なため、記録再生装置が大がかりなものになる。
【０００７】
一方、反射型媒体においては、光学系が媒体面に対して片側のみに設けることができるので、記録再生装置をコンパクトにできる。このため、ホログラフィック記録を光ディスクへ応用する場合などには反射型媒体を用いるのが有利である。しかしながら反射型媒体の場合、記録および再生時に反射光の影響でノイズ光が発生する場合があり、ノイズ光対策が反射型媒体における課題の一つとなっている。特に、記録時において反射光が記録層を露光すると、ノイズ（ゴースト）ホログラムが形成され、SNRや多重記録特性の劣化を引き起こす。
【０００８】
上述した反射型媒体の問題を解決すべく、特許文献１、特許文献２、及び非特許文献１には、相変化反射層と、ホロググラフィック記録層とが順次積層されたホログラフィック記録媒体について記載されている。そして、ホログラフィック記録を行う際は、相変化反射層を反射率の低いアモルファスとし、再生時には反射率の高い結晶状態にする。これらによって不要な回折格子の形成も低減されるため、再生時におけるSNR比が高く、かつ記録時に不要な露光が低減されるので記録多重度を大きくすることができる。
【０００９】
また、特許文献２、特許文献３には、ホログラフィック記録媒体中に偏光吸収層を設け、記録再生光学系にて偏光状態を制御して、前記同様、不要な回折格子の形成を低減し、ノイズの低いホログラフィック記録媒体について記載されている。
【００１０】
特許文献１に示されるホログラフィック記録媒体においては、記録する際において、相変化反射層の反射率はアモルファス状態であっても４％ほどあり、反射光はホログラフィック記録層を露光する。
【００１１】
入射光、反射光強度をそれぞれIi、Irとするとき、反射率が４％である場合、
Ir = 0.04・Iiである。一方、入射光、反射光の振幅をそれぞれAi、Arとするとき、
Ii = Ai2、Ir = Ar2
の関係があるので、
Ar = 0.2・Ai
であり、入射光と反射光とがつくる干渉縞における最大、最小の振幅をそれぞれAmax、Amin、強度をそれぞれImax、Iminとすると、
Amax = Ai + Ar = 1.2・Ai
Amin = Ai - Ar = 0.8・Ai
Imax = Amax2 = 1.44・Ii
Imin = Amin2 = 0.64・Ii
となり、２倍以上の強度差で干渉縞が形成されることになる。
【００１２】
このように、反射型媒体においては、ホログラフィック記録層が、入射した記録信号光および記録参照光により露光されるだけでなく、反射層で反射されて戻ってきた記録信号光および記録参照光によっても露光されるようになるので、低ノイズ化、SNRおよび記録多重度の向上には限界があった。
【００１３】
また、相変化反射層の反射率は結晶状態であっても３０％前後しかなく、大きな再生信号光を得ることに限界があり、SNRの向上、転送レートの向上を妨げていた。
【００１４】
また、ホログラフィック記録媒体を再生するに先立ち、相変化反射層の反射率を高めるためには結晶化させる必要がある。結晶化は、反射層を構成する材料の結晶化温度以上に加熱し、その後徐冷することで実現できる。この際、ホログラフィック記録層その他の部分には熱損傷を与えず、相変化反射層のみを効率良く昇温させることが必要になる。しかしながら、結晶化に要する温度は２００℃前後であるため、ホログラフィック記録媒体がディスク状である場合、相変化型光ディスクを出荷する際に使用される初期化装置のような特殊な装置を用いて、レーザ光を所定のパワー、所定の速度で媒体面を走査させることが必要になり、更なる製造工程の複雑化を招く。
【００１５】
またホログラフィック記録媒体がディスク状でない場合は、新規に目的に見合う装置の設計・製作が必要になり、更に製造の困難さを引き起こす。
【００１６】
相変化反射層以外に、有機色素、フォトクロミック材料、サーモクロミック材料、エレクトロクロミック材料などを用いて反射率を変化させる方法も提案されているが、いずれも相変化反射層と同様に、記録時の反射率を小さく、かつ再生時の反射率を高くすることには限界があった。
【００１７】
また、特許文献２、特許文献３に開示された技術においては、ホログラフィック記録再生光学系にて偏光状態を制御するための機構が必要で、この場合においても光学系の複雑化を招く。例えば、特許文献２の場合、偏光状態を切り替えるための偏光スイッチおよび駆動回路が必要になる。
【００１８】
更に、媒体がディスク状である場合、偏光選択性反射膜はディスクの半径方向（もしくは円周方向）に対して一定の偏光特性を有する必要がある。このような要求を満足するために、特許文献２においては、例えば、扇形の偏光選択性反射膜を貼りあわせて円形にすることで、半径方向に対して一定の偏光特性を得ようとする試みがなされている。しかし半径方向に対して一定の偏光特性を得るためには相当数の扇形偏光選択性反射膜を用意し、なおかつこれらの境界が不連続にならないように貼りあわせなければならず、製造工程が複雑かつ困難を極める。また特許文献３の場合には、ディスクの回転と連動させて波長板を回転させるという複雑で煩雑な操作が必要になる。
【先行技術文献】
【特許文献】
【００１９】
【特許文献１】特開２００８−１１６８９６
【特許文献２】再公表特許２００５−１０９１１７号
【特許文献３】特開２００９−１０３７６５号
【非特許文献】
【００２０】
【非特許文献１】T. Ando, et al, ISOM’07 Tech. Dig., Th-K-03 (2007).
【発明の概要】
【発明が解決しようとする課題】
【００２１】
本発明は、上述した従来の問題に鑑み、記録の際に、ホログラフィック記録層中に不要な露光および不要な干渉縞が形成されることを防止し、低ノイズでかつ大きな記録多重度を可能とし、かつ高SNRで再生を行うことができる、新規かつ簡易な構成の反射型のホログラフィック記録媒体を提供することを目的とする。
【課題を解決するための手段】
【００２２】
上記目的を達成すべく、本発明は、
記録信号光及び記録参照光を照射して得た干渉縞を記録情報として記録するためのホログラフィック記録層と、
前記ホログラフィック記録層に対し、前記記録信号光及び前記記録参照光の入射側と相対向する側に設けられ、前記ホログラフィック記録層の前記記録情報を再生する際に照射する再生参照光を反射させて、前記記録情報に関する再生信号光を、前記記録信号光及び前記記録参照光の前記入射側において得るための反射層と、
前記反射層及び前記ホログラフィック記録層間、又は前記ホログラフィック記録層の前記入射側に設けられ、前記ホログラフィック記録層に対する記録時において第１の偏光状態を形成し、前記ホログラフィック記録層に対する再生時において第２の偏光状態を形成する偏光可変層と、
前記ホログラフィック記録層及び前記偏光可変層と前記反射層との間に設けられ、前記第１の偏光状態の光を吸収し、前記第２の偏光状態の光を透過する第１の偏光吸収層と、
を具えることを特徴とする、ホログラフィック記録媒体に関する。
【００２３】
本発明によれば、記録時における第１の偏光状態の光を吸収し、再生時において第２の偏光状態の光を透過する第１の偏光吸収層を設けるとともに、このような偏光状態の可変を、第１の偏光吸収層に対し、前記反射層と相対向する側に設けた偏光可変層によって行うようにしている。したがって、上述した特許文献２及び特許文献３などに開示されているような、偏光状態を制御するための複雑な機構を設けることなく、上述した偏光状態の可変を簡易に行うことができる。
【００２４】
上記ホログラフィック記録媒体において、記録信号光、記録参照光及び再生参照光は、直線偏光とすることができる。この場合、上記第１の偏光吸収層を直線偏光吸収層とすれば、例えば、記録時において、直線偏光である記録信号光及び記録参照光でホログラフィック記録層に所定の情報を記録した後、偏光可変層でこれらの光を第１の偏光状態とし、上記第１の偏光吸収層で吸収され、反射層にまで到達しないようにする一方、再生時においては、偏光可変層が、直線偏光である再生参照光を第２の偏光状態として上記第１の偏光吸収層を透過させ、反射層で反射させることにより、ホログラフィック記録層に記録された情報に関する再生信号光を得ることができる。
【００２５】
なお、偏光可変層とホログラフィック記録層との積層順序を逆にすれば（偏光可変層をホログラフィック記録層の、光入射側に位置させる）、記録時において、偏光可変層において、直線偏光である記録信号光及び記録参照光が第１の偏光状態となった後にホログラフィック記録層に対して所定の情報を記録し、その後、第１の偏光吸収層で吸収され、反射層にまで到達しないようにする一方、再生時においては、偏光可変層が、直線偏光である再生参照光を第２の偏光状態として上記第１の偏光吸収層を透過させ、反射層で反射させることにより、ホログラフィック記録層に記録された情報に関する再生信号光を得ることができる。
【００２６】
このような記録再生方法は、例えば、カード状のホログラフィック記録媒体に対して一次元的に情報を記録し、再生することができる。
【００２７】
上述したホログラフィック記録層への記録再生操作において、記録時においては、記録信号光及び記録参照光が第１の偏光吸収層で吸収されることによって反射層まで到達しないので、これらの光が反射層で反射されることによって生じた反射光によってホログラフィック記録層が露光されることがない。したがって、ノイズ（ゴースト）ホログラムの形成が抑制されて、SNRや多重記録特性の劣化を引き起こすことがない。
【００２８】
また、上述した偏光状態の変更は偏光可変層を用いて行うので、偏光状態を制御するための複雑な機構を設けることなく、記録再生に用いる光学系を簡易化することができ、記録再生に用いる装置の構成全体を簡略化することができる。
【００２９】
なお、本発明の一態様においては、前記第１の偏光吸収層に対し、前記反射層と相対向する側に第２の偏光吸収層を設けることができる。この場合、例えば、ホログラフィック記録媒体がディスク状であって、第２の偏光吸収層が直線偏光吸収層である場合、記録信号光及び記録参照光を円偏光とすることによって、記録時においては、ディスク状のホログラフィック記録層に対して円偏光から抽出されたいずれかの方向に偏光面を有する直線偏光が照射されるようになる。記録信号光及び記録参照光が直線偏光とされた後は、偏光可変層で第１の偏光状態とされ、同じく直線偏光吸収層である第１の偏光吸収層で吸収されて反射層には到達しない。
【００３０】
一方、再生参照光をも円偏光とすることによって、再生時においても、第２の偏光吸収層によって円偏光から抽出されたいずれかの方向に偏光面を有する直線偏光が得られ、これら直線偏光は偏光可変層によって第２の偏光状態にされた後、第１の偏光吸収層を透過して反射層に至って反射され、ディスク状のホログラフィック記録層に記録された情報に関する再生信号を得ることができる。
【００３１】
したがって、この場合においても、記録時においては、記録信号光及び記録参照光が第１の偏光吸収層で吸収されることによって反射層まで到達しないので、これらの光が反射層で反射されることによって生じた反射光によってホログラフィック記録層が露光されることがない。したがって、ノイズ（ゴースト）ホログラムの形成が抑制されて、SNRや多重記録特性の劣化を引き起こすことがない。
【００３２】
また、上述した偏光状態の変更は偏光可変層を用いて行うので、偏光状態を制御するための複雑な機構を設けることなく、記録再生に用いる光学系を簡易化することができ、記録再生に用いる装置の構成全体を簡略化することができる。さらに、従来の技術のように、ディスクの半径方向（もしくは円周方向）に対して一定の偏光特性を有するような偏光選択性反射膜を設ける必要がないので、例えば、扇形の偏光選択性反射膜を貼りあわせて円形にするというような煩雑かつ困難な操作を施さなくても、SNRに優れたディスク状のホログラフィック記録媒体を得ることができる。
【００３３】
なお、第２の偏光吸収層を、ホログラフィック記録層に対して、光の入射側と相対向する位置に設けた場合、ホログラフィック記録層への記録は円偏光を用いて行うことになるが、その後の直線偏光への変換及び吸収は上述のようにして行われる。
【発明の効果】
【００３４】
以上説明したように、本発明によれば、記録の際に、ホログラフィック記録層中に不要な露光および不要な干渉縞が形成されることを防止し、低ノイズでかつ大きな記録多重度を可能とし、かつ高SNRで再生を行うことができる、新規かつ簡易な構成の反射型のホログラフィック記録媒体を提供することができる。
【図面の簡単な説明】
【００３５】
【図１】第１の実施形態のホログラフィック記録媒体の構成図である。
【図２】図１に示すホログラフィック記録媒体への記録操作を説明するための図である。
【図３】図１に示すホログラフィック記録媒体への再生操作を説明するための図である。
【図４】図１に示すホログラフィック記録媒体への再生操作を説明するための図である。
【図５】図１に示すホログラフィック記録媒体の変形例を示す図である。
【図６】第２の実施形態のホログラフィック記録媒体の構成図である。
【図７】図６に示すホログラフィック記録媒体への記録操作を説明するための図である。
【図８】図６に示すホログラフィック記録媒体への再生操作を説明するための図である。
【図９】第３の実施形態のホログラフィック記録媒体の構成図である。
【図１０】図８に示すホログラフィック記録媒体への記録操作を説明するための図である。
【図１１】図９に示すホログラフィック記録媒体への再生操作を説明するための図である。
【図１２】図１０に示すホログラフィック記録媒体の記録再生原理を説明するための図である。
【図１３】図９に示すホログラフィック記録媒体の変形例である。
【図１４】図９に示すホログラフィック記録媒体の変形例である。
【図１５】第４の実施形態のホログラフィック記録媒体の構成図である。
【図１６】図１５に示すホログラフィック記録媒体への記録操作を説明するための図である。
【図１７】図１５に示すホログラフィック記録媒体への再生操作を説明するための図である。
【図１８】実施例におけるホログラフィック記録媒体と多重記録とSNRとの関係を示すグラフである。
【図１９】実施例におけるホログラフィック記録媒体の再生画像を示す図である。
【発明を実施するための形態】
【００３６】
以下、本発明の詳細、並びにその他の特徴及び利点について、図面を参照しながら説明する。
【００３７】
（第１の実施形態）
図１は、本実施形態のホログラフィック記録媒体の、媒体構成を示す図であり、図２は、図１に示すホログラフィック記録媒体への記録操作を説明するための図であり、図３は、図１に示すホログラフィック記録媒体への再生操作を説明するための図である。
【００３８】
図１に示すように、本実施形態におけるホログラフィック記録媒体１０は、光入射側から順次にホログラフィック記録層１１、偏光可変層１２、第１の偏光吸収層１３及び反射層１４が積層されたような構成を呈している。
【００３９】
ホログラフィック記録層１１は、信号光と参照光との干渉によって生じる光の明部と暗部とで、屈折率、透過率、反射率といった何らかの光学定数が変化しうる材料で、例えばフォトポリマー、フォトリフラクティブ結晶、フォトリフラクティブポリマー、カルコゲナイド化合物、フォトクロミック材料、サーモクロミック材料などから構成することができる。
【００４０】
偏光可変層１２は、入射光に対する出射光（透過光）の偏光状態を外部からの制御で切り替えることが可能な層である。例えば、希土類-鉄磁性ガーネットに代表されるファラデー効果を発現する層を用いることができる。中でも、YIG（イットリウム鉄ガーネット）はファラデー効果が大きく、更に、BiもしくはGa置換型のYIGは更に大きなファラデー効果を示し、かつ透過率が高いので好ましい。
【００４１】
これらはいずれも、外部から印加する磁界を制御することで偏光状態を切り替えることが可能で、入射した直線偏光に対して90°変換できることが好ましい。これは、以下に説明する第１の偏光吸収層１３において偏光状態の違いによる吸収の度合（消光比）がより顕著になるためである。
【００４２】
なおファラデー回転角は印加磁界、ファラデー回転層の材質、膜質および厚みに依存するので、所望のファラデー回転角が得られるように各々適宜調整される。
【００４３】
また上記希土類-鉄磁性ガーネットは、MOD法（有機金属塗布分解法）やLPE（液相エピタキシャル）法を用いて作製される。
【００４４】
また、偏光可変層１２は液晶層とすることができる。液晶層を用いた場合は、外部から印加する電圧を制御することで偏光状態を切り替える。中でもＴＮ型液晶は、入射した直線偏光に対して、電圧制御で90°変換できるので特に好ましい。これも上述のように、第１の偏光吸収層１３において偏光状態の違いによる吸収の度合（消光比）がより顕著になるためである。
【００４５】
なお、液晶層を用いる場合は、この液晶層に電圧を印加するために、両側に透明電極層を設ける。透明電極層は、酸化亜鉛系、酸化インジウム系、酸化スズ系等の材料で構成される。透明電極層への電圧は、媒体のエッジ部から供給することができる。媒体がディスク状の場合には、センターハブ部に電圧供給部を設け、記録装置のセンタークランプ部から電圧を供給することができる。
【００４６】
第１の偏光吸収層１３は、特定の方向の直線偏光成分のみを透過させ、それと直交する成分を吸収する直線偏光層である。材質としては、例えば、ヨウ素もしくはその他塗料を吸着させたPVA（ポリビニルアルコール）などであり、必要に応じて保護層として、PET（ポリエチレンテレフタレート）やTAC（トリアセチルセルロース）等のフィルムで挟むことができる。
【００４７】
反射層１４は、ホログラフィック再生を行う際に使用する参照光に対して高い反射率、好ましくは５０％以上の反射率を示す材料から構成する。例えば、金属ではＡｌもしくはＡｇもしくはこれらを主成分とする合金は特に反射率が高く好ましい。
【００４８】
また、参照光の波長に対して選択的に５０％以上の反射率を示す屈折率の異なる層を互いに積層させた波長選択多層膜であってもよい。
【００４９】
次に、図１に示すホログラフィック記録媒体への記録再生操作について説明する。
本実施形態では、記録信号光、記録参照光及び再生参照光は、直線偏光とする。このとき、偏光可変層１２を例えば希土類-鉄磁性ガーネットに代表されるファラデー効果を発現する層から構成する場合、図２に示すように、記録時においては磁界Hwを印加し、上記記録信号光等の直線偏光に対し、偏光可変層１２のファラデー効果によってその偏光状態を例えば紙面垂直方向（第１の偏光状態）とする。磁界の印加は、磁界変調型の光磁気記録装置で用いられる電磁石等で行なう。なお、偏光吸収層１３の透過軸を紙面平行方向（第１の偏光状態と垂直方向）とする。
【００５０】
この場合、ホログラフィック記録層１１に対して照射された記録信号光Ｌ１及び記録参照光Ｌ２は、所定の情報を記録させた後、偏光可変層１２で紙面垂直方向（第１の偏光状態）に変換されるので、その後、偏光吸収層１３に到達した際に吸収され、反射層１４へは到達しない。
【００５１】
次いで、図３に示すように、再生時においては、磁界Ｈｒを印加し、再生参照光Ｌ３の直線偏光に対し、偏光可変層１２のファラデー効果によってその偏光状態を例えば紙面水平方向（第２の偏光状態）とする。この場合、第２の偏光状態は第１の偏光状態と垂直となり（角度９０°）、偏光吸収層１３の透過軸と平行となるので、再生参照光Ｌ３は偏光吸収層１３を透過して反射層１４に到達して反射されるようになる。したがって、ホログラフィック記録層１１に記録された情報に関する再生信号光Ｌ４を外部に取り出すことができるようになる。
【００５２】
また図３において、位相共役再生とすることも可能である。これは、図４に示すように、再生参照光Ｌ３を記録位置に対して１８０度対称の方向（図では左側）から照射することにより実現できる。この場合、反射層１４で反射した光が位相共役再生光となり、ホログラフィック記録層１１に達した際に、記録された信号によって回折し、再生信号光Ｌ４が得られる。
【００５３】
このように、記録時においては、記録信号光Ｌ１及び記録参照光Ｌ２が第１の偏光吸収層１３で吸収されることによって反射層１４まで到達しないので、これらの光が反射層１４で反射されることによって生じた反射光によってホログラフィック記録層１１が露光されることがない。したがって、ノイズ（ゴースト）ホログラムの形成が抑制されて、SNRや多重記録特性の劣化を引き起こすことがない。
【００５４】
また、上述した偏光状態の変更は偏光可変層１２を用いて行うので、偏光状態を制御するための複雑な機構を設けることなく、記録再生に用いる光学系を簡易化することができ、記録再生に用いる装置の構成全体を簡略化することができる。
【００５５】
なお、偏光可変層１２は、第１の偏光状態と第２の偏光状態とが９０°の角度をなすようにしているので、第１の偏光吸収層１３における偏光状態の違いによる吸収の度合（消光比）をより顕著にすることができる。
【００５６】
また、偏光可変層１２を、その偏光状態が非磁場印加状態で第１の偏光状態又は第２の偏光状態となるようにすれば、記録時に要する磁場Ｈｗ又は再生時に要する磁場Ｈｒをゼロとすることができる。したがって、磁場発生のための消費エネルギーを節約することができる。
【００５７】
特に、偏光可変層１２の偏光状態を非磁場印加状態で第２の偏光状態となるようにすれば、ホログラフィック再生専用装置において、磁界の印加機構を設ける必要がないので好適である。
【００５８】
本実施形態のホログラフィック記録媒体は、予め記録信号光Ｌ１、記録参照光Ｌ２及び再生参照光Ｌ３を直線偏光としているので、ディスクのように回転によって媒体の偏光方向が時間的に変化しない、例えばカード状であって、記録及び再生を一次元的に行うような場合に適している。
【００５９】
図５は、図１に示すホログラフィック記録媒体の変形例である。図５に示すように、本態様では、偏光可変層１２をホログラフィック記録層１１に対して光の入射側に位置させている。なお、その他の構成について上記第１の実施形態と同様である。
【００６０】
したがって、本態様では、記録時において、記録信号光Ｌ１及び記録参照光Ｌ２は、ホログラフィック記録層１１に到達する以前に偏光可変層１２によって第１の偏光状態とされ、ホログラフィック記録層１１に対して記録を実施した後、第１の偏光吸収層１３によって吸収され、反射層１４には到達しない。一方、再生時において、再生参照光Ｌ３も、偏光可変層１２によって予め第２の偏光状態とされた後、第１の偏光吸収層１３を透過し、反射層１４で反射され、再生信号光Ｌ４を得ることができるようになる。
【００６１】
このように、本態様では、ホログラフィック記録媒体１０に光が入射する際に、偏光可変層１２によって所定の偏光状態とされるのみで、上記第１の実施形態同様に、記録信号光Ｌ１等は反射層１４に到達せず、再生参照光Ｌ３は反射層１４に到達して反射され、再生信号光Ｌ４として得ることができるので、上記第１の実施形態と同様の作用効果を得ることができる。
【００６２】
（第２の実施形態）
図６は、本実施形態のホログラフィック記録媒体の、媒体構成を示す図であり、図７は、図６に示すホログラフィック記録媒体への記録操作を説明するための図であり、図８は、図６に示すホログラフィック記録媒体への再生操作を説明するための図である。
【００６３】
本実施形態は、上記第１の実施形態において、特に偏光可変層１２をＴＮ型の液晶からなる液晶層の偏光可変層１６に代えた場合について示している。この場合、図６に示すように、偏光可変層１６を挟み込むようにして一対の透明電極層１７が形成され、この透明電極層１７を介して偏光可変層１６に対して所定の電圧が印加されるようになっている。その他の構成については、上記第１の実施形態と同様であるので説明を省略する。
【００６４】
本態様においては、図７に示すように、記録時においては電圧Ｖｗを偏光可変層１６に印加し、上記記録信号光等の直線偏光に対し、偏光可変層１６の液晶の配向を変化させるによってその偏光状態を例えば紙面垂直方向（第１の偏光状態）とする。上述のように、電圧の印加は、媒体のエッジ部から供給することができる。
【００６５】
この場合、ホログラフィック記録層１１に対して照射された記録信号光Ｌ１及び記録参照光Ｌ２は、所定の情報を記録させた後、偏光可変層１２で紙面垂直方向（第１の偏光状態）に変換されるので、その後、偏光吸収層１３に到達した際に吸収され、反射層１４へは到達しない。
【００６６】
次いで、図８に示すように、再生時においては、電圧Ｖｒを印加し、再生参照光Ｌ３の直線偏光に対し、偏光可変層１６の液晶の配向を変化させることによってその偏光状態を例えば紙面水平方向（第２の偏光状態）とする。この場合、第２の偏光状態は第１の偏光状態と垂直となり（角度９０°）、偏光吸収層１３の透過軸と平行となるので、再生参照光Ｌ３は偏光吸収層１３を透過して反射層１４に到達して反射されるようになる。したがって、ホログラフィック記録層１１に記録された情報に関する再生信号光Ｌ４を外部に取り出すことができるようになる。
【００６７】
このように、記録時においては、記録信号光Ｌ１及び記録参照光Ｌ２が第１の偏光吸収層１３で吸収されることによって反射層１４まで到達しないので、これらの光が反射層１４で反射されることによって生じた反射光によってホログラフィック記録層１１が露光されることがない。したがって、ノイズ（ゴースト）ホログラムの形成が抑制されて、SNRや多重記録特性の劣化を引き起こすことがない。
【００６８】
また、上述した偏光状態の変更は偏光可変層１２を用いて行うので、偏光状態を制御するための複雑な機構を設けることなく、記録再生に用いる光学系を簡易化することができ、記録再生に用いる装置の構成全体を簡略化することができる。
【００６９】
なお、本態様においても、偏光可変層１６を、その偏光状態が非電圧印加状態で第１の偏光状態又は第２の偏光状態となるようにすれば、記録時に要する電圧Ｖｗ又は再生時に要する電圧Ｖｒをゼロとすることができる。したがって、電圧発生のための消費エネルギーを節約することができる。
【００７０】
特に、偏光可変層１６の偏光状態を非電圧印加状態で第２の偏光状態となるようにすれば、ホログラフィック再生専用装置において、電圧の印加機構を設ける必要がないので好適である。
【００７１】
また、図４に関して説明したように、再生参照光Ｌ３を記録位置に対して１８０度対称の方向から照射することにより、位相共役光再生を行うこともできる。
【００７２】
本態様では、偏光可変層１６とした以外は上記第１の実施形態と同様の構成を呈するので、特に断らない限りにおいて、同様の作用効果を奏する。
【００７３】
（第３の実施形態）
本実施形態は、ディスク状のホログラフィック記録媒体に関するものである。図９は、本実施形態のホログラフィック記録媒体の、媒体構成を示す図であり、図１０は、図９に示すホログラフィック記録媒体への記録操作を説明するための図であり、図１１は、図９に示すホログラフィック記録媒体への再生操作を説明するための図である。また、図１２は、本実施形態の記録再生原理を説明するための図である。なお、類似又は同一の構成要素に関しては、同一の参照数字を用いている。
【００７４】
図９に示すように、本実施形態におけるホログラフィック記録媒体２０は、光入射側から順次にホログラフィック記録層１１、偏光可変層１２、第１の偏光吸収層１３及び反射層１４が積層されたような構成を呈している。また、ホログラフィック記録層１１に対し、光入射側において第２の偏光吸収層２８が形成されている。
【００７５】
なお、ホログラフィック記録層１１、偏光可変層１２、第１の偏光吸収層１３及び反射層１４は、第１の実施形態と同様にして構成することができる。また、第２の偏光吸収層２８は、第１の偏光吸収層１３と同じ材料から構成し、特定の方向の直線偏光成分のみを透過させ、それと直交する成分を吸収する直線偏光層である。
【００７６】
次に、図９に示すホログラフィック記録媒体への記録再生操作について説明する。
本実施形態では、記録信号光、記録参照光及び再生参照光は、方向性のない光、例えば円偏光とする。これらの円偏光は、最上層に位置する第２の偏光吸収層２８を透過する際に、その円偏光からいずれかの方向に偏光面を有する直線偏光が抽出される。その後、図１０に示すように、記録時においては磁界Ｈｗを印加し、抽出された直線偏光である上記記録信号光等に対し、偏光可変層１２のファラデー効果によってその偏光状態を例えば紙面垂直方向（第１の偏光状態）とする。なお、偏光吸収層１３の透過軸を紙面平行方向（第１の偏光状態と垂直方向）とする。
【００７７】
この場合、ホログラフィック記録層１１に対して照射された記録信号光Ｌ１及び記録参照光Ｌ２は、所定の情報を記録させた後、偏光可変層１２で紙面垂直方向（第１の偏光状態）に変換されるので、その後、偏光吸収層１３に到達した際に吸収され、反射層１４へは到達しない。
【００７８】
次いで、図１１に示すように、再生時においては、磁界Ｈｒを印加し、抽出された直線偏光である再生参照光Ｌ３に対し、偏光可変層１２のファラデー効果によってその偏光状態を例えば紙面水平方向（第２の偏光状態）とする。この場合、第２の偏光状態は第１の偏光状態と垂直となり（角度９０°）、偏光吸収層１３の透過軸と平行となるので、再生参照光Ｌ３は偏光吸収層１３を透過して反射層１４に到達して反射されるようになる。したがって、ホログラフィック記録層１１に記録された情報に関する再生信号光Ｌ４を外部に取り出すことができるようになる。
【００７９】
このように、記録時においては、記録信号光Ｌ１及び記録参照光Ｌ２が第１の偏光吸収層１３で吸収されることによって反射層１４まで到達しないので、これらの光が反射層１４で反射されることによって生じた反射光によってホログラフィック記録層１１が露光されることがない。したがって、ノイズ（ゴースト）ホログラムの形成が抑制されて、SNRや多重記録特性の劣化を引き起こすことがない。
【００８０】
また、上述した偏光状態の変更は偏光可変層１２を用いて行うので、偏光状態を制御するための複雑な機構を設けることなく、記録再生に用いる光学系を簡易化することができ、記録再生に用いる装置の構成全体を簡略化することができる。
【００８１】
なお、本実施形態のホログラフィック記録媒体２０は、第１の実施形態のホログラフィック記録媒体１０に対して直線偏光層である第２の偏光吸収層２８が付加され、記録信号光Ｌ１等を円偏光としているが、これは以下の理由による。
【００８２】
上述した説明から明らかなように、ホログラフィック記録媒体２０を構成する各層は均一な層として形成されるので、図１２に示すように、例えば第２の偏光吸収層２８の互いに直交する透過軸及び吸収軸は、ホログラフィック記録媒体２０の全面において同一方向を向くようになる。したがって、図１２の領域Ａにおいて記録及び再生を行う場合、使用する光が直線偏光であると、記録信号光Ｌ１等あるいは再生参照光Ｌ３は、第２の偏光吸収層２８の透過軸と平行な偏光面を有する直線偏光を用いることになる。
【００８３】
しかしながら、ホログラフィック記録媒体２０が回転して領域Ｂが領域Ａの箇所に来ると、第２の偏光吸収層２８の透過軸及び吸収軸の位置が入れ替わり、領域Ｂの透過軸の方向が領域Ａの吸収軸の方向と一致し、領域Ｂの吸収軸の方向が領域Ａの透過軸の方向と一致するようになる。したがって、当初、記録及び再生に用いていた直線偏光は第２の偏光吸収層２８を透過することができなくなり、ディスク状のホログラフィック記録媒体２０に対して記録再生を行うことができなくなってしまう。
【００８４】
一方、記録信号光Ｌ１等を円偏光とした場合は、第２の偏光吸収層２８の透過軸と平行な方向に偏光面を有する直線偏光を任意に抽出することができる。この結果、ホログラフィック記録媒体２０が回転して領域Ｂが領域Ａの箇所に来た際においても、その際の透過軸と平行な偏光面を有する直線偏光が抽出されて、第２の偏光吸収層２８を透過するようになるので、ディスク状のホログラフィック記録媒体２０に対して記録再生を行うことができるようになる。
【００８５】
この場合、記録信号光Ｌ１等及び再生参照光Ｌ３も同一の偏光面を有するようになるが、下方に位置する偏光可変層１２によって、これらの光が第１の偏光吸収層１３に到達する以前に、抽出された直線偏光である記録信号光Ｌ１等は第１の偏光状態となる一方、同じく抽出された再生参照光Ｌ３である再生参照光Ｌ３は第２の偏光状態となる。したがって、記録信号光Ｌ１等は第１の偏光吸収層１３で吸収されて反射層１４に到達せず、再生参照光Ｌ３は第１の偏光吸収層１３を透過して反射層１４で反射され、再生信号光Ｌ４として外部に取り出せるようになる。その結果、上述したような本発明に共通の作用効果を奏することができるようになる。
【００８６】
なお、第２の偏光吸収層２８が無い場合は、円偏光が直接偏光可変層１２に到達するようになるので、第１の偏光吸収層１３の透過軸及び吸収軸に対応した直線偏光を得ることができず、上述したような本発明に共通の作用効果を奏することができない。
【００８７】
このように、本実施形態では、従来の技術のように、ディスクの半径方向（もしくは円周方向）に対して一定の偏光特性を有するような偏光選択性反射膜を設ける必要がないので、例えば、扇形の偏光選択性反射膜を貼りあわせて円形にするというような煩雑かつ困難な操作を施さなくても、SNRに優れたディスク状のホログラフィック記録媒体を得ることができる。
【００８８】
以上説明したように、ディスク状のホログラフィック記録媒体２０に対して上述のような作用効果を奏することができるようにするためには、記録信号光Ｌ１等を偏光性のない例えば円偏光とし、第２の偏光吸収層２８を設ける必要がある。
【００８９】
また、偏光可変層１２を、その偏光状態が非磁場印加状態で第１の偏光状態又は第２の偏光状態となるようにすれば、記録時に要する磁場Ｈｗ又は再生時に要する磁場Ｈｒをゼロとすることができる。したがって、磁場発生のための消費エネルギーを節約することができる。但し、再生時に要する磁場Ｈｒをゼロにするには、第１の偏光吸収層１３の透過軸及び吸収軸と、第２の偏光吸収層２８の透過軸及び吸収軸を一致させておく必要がある。
【００９０】
特に、偏光可変層１２の偏光状態を非磁場印加状態で第２の偏光状態となるようにすれば、ホログラフィック再生専用装置において、磁界の印加機構を設ける必要がないので好適である。
【００９１】
本実施形態においても、図４に関して説明したように、再生参照光Ｌ３を記録位置に対して１８０度対称の方向から照射することにより、位相共役光再生を行うこともできる。
【００９２】
図１３及び図１４は、図９に示すホログラフィック記録媒体の変形例である。図１３及び図１４に示すホログラフィック記録媒体３０及び４０においても、円偏光から直線偏光が抽出される順番が異なるのみで、その他の作用効果は、本実施形態と同様である。
【００９３】
例えば、図１３では、ホログラフィック記録層１１に対して直接円偏光で記録あるいは再生を行った後、第２の偏光吸収層２８で所定の直線偏光のみが抽出され、その後偏光可変層１２で偏光状態の変更が行われた後、第１の偏光吸収層１３で吸収され、透過して、上述した本発明の作用効果を奏するようになる。
【００９４】
（第４の実施形態）
図１５は、本実施形態のホログラフィック記録媒体の、媒体構成を示す図であり、図１６は、図１５に示すホログラフィック記録媒体への記録操作を説明するための図であり、図１７は、図１５に示すホログラフィック記録媒体への再生操作を説明するための図である。
【００９５】
本実施形態は、上記第３の実施形態において、特に偏光可変層１２をＴＮ型の液晶からなる液晶層の偏光可変層１６に代えた場合について示している。この場合、図１５に示すように、偏光可変層１６を挟み込むようにして一対の透明電極層１７が形成され、この透明電極層１７を介して偏光可変層１６に対して所定の電圧が印加されるようになっている。その他の構成については、上記第３の実施形態と同様であるので説明を省略する。
【００９６】
本態様においては、図１６に示すように、記録時においては電圧Ｖｗを偏光可変層１６に印加し、抽出された直線偏光である記記録信号光Ｌ１等に対し、偏光可変層１６の液晶の配向を変化させるによってその偏光状態を例えば紙面垂直方向（第１の偏光状態）とする。また、図１７に示すように、再生時においては、電圧Ｖｒを印加し、再生参照光Ｌ３の直線偏光に対し、偏光可変層１６の液晶の配向を変化させることによってその偏光状態を例えば紙面水平方向（第２の偏光状態）とする。
【００９７】
本態様では、偏光可変層１６とした以外は上記第３の実施形態と同様の構成を呈するので、特に断らない限りにおいて、同様の作用効果を奏する。
【００９８】
なお、本態様においても、偏光可変層１６を、その偏光状態が非電圧印加状態で第１の偏光状態又は第２の偏光状態となるようにすれば、記録時に要する電圧Ｖｗ又は再生時に要する電圧Ｖｒをゼロとすることができる。したがって、電圧発生のための消費エネルギーを節約することができる。再生時に要する磁場Ｈｒをゼロにするには、第１の偏光吸収層１３の透過軸及び吸収軸と、第２の偏光吸収層２８の透過軸及び吸収軸を一致させておく必要がある。
【００９９】
特に、偏光可変層１６の偏光状態を非電圧印加状態で第２の偏光状態となるようにすれば、ホログラフィック再生専用装置において、電圧の印加機構を設ける必要がないので好適である。
【０１００】
また、図４に関して説明したように、再生参照光Ｌ３を記録位置に対して１８０度対称の方向から照射することにより、位相共役光再生を行うこともできる。
【実施例】
【０１０１】
＜ホログラフィック記録媒体の作製＞
120mmφ、厚さ0.6mmのディスク状のポリカーボネート基板上に、反射層としてAgを約200nmスパッタ法により形成した。次いで、片面に粘着剤が塗布されたTAC / PVA / TACの３層構造から成る一軸性（光吸収軸が一方向）の偏光フィルムの粘着面と上記反射層とを、気泡が入らないように貼り合せ、第１の偏光吸収層を形成し、第一の部位を完成させた。
【０１０２】
次に、120mmφ、厚さ0.2mmのディスク状のガラス基板上に、MOD法を用いて、Bi置換型のYIG層を約50μm形成し、ファラデー回転層から成る偏光可変層とした。上記と同様の偏光フィルムをもう１枚用意し、上記ファラデー回転層に貼り合せ、第二の部位を完成させた。
【０１０３】
次いで、上記第一の部位の偏光層（TAC層）と、第二の部位のガラス基板面との間に、ホログラフィック記録層として、フォトポリマーを0.7mmの厚さに形成した。フォトポリマーの組成は以下のとおりとした。
ヘキサメチレンジイソシアネート（東京化成工業（株）製）３０．８重量部、ポリエーテルトリオール（（株）ＡＤＥＫＡ製、Ｇ−４００、平均分子量４０９）４８．１重量部、９，９−ビス（４−ヒドロキシフェニル）フルオレンジグリシジルエーテルのアクリル酸付加物（新日鐵化学（株）製、ＡＳＦ−４００）４．０重量部、ジブチルスズジラウレート（東京化成工業（株）製）０．０３重量部、ビス（η５−２，４−シクロペンタジエン−１−イル）−ビス（２，６−ジフルオロ−３−（１Ｈ−ピロール−１−イル）−フェニル）チタニウム（チバ・スペシャルティ・ケミカルズ製、イルガキュア７８４）１．２重量部、アセナフチレン（新日鐵化学（株）製）４．０重量部、Ｏ−アセチルクエン酸トリブチル（東京化成工業（株）製）１１．８重量部。
このとき、２つの偏光層の吸収軸方向が一致するように形成した。以上で、本発明によるホログラフィック記録媒体を完成させた。
【０１０４】
一方、比較用として、偏光層、偏光可変層を設けない媒体を以下のとおり作製した。
120mmφ、厚さ0.6mmのディスク状のポリカーボネート基板上に、反射層としてAgを約200nmスパッタ法により形成した。次いで、同一サイズのガラス基板を用意し、上記Ag反射層との間に、ホログラフィック記録層として、フォトポリマーを0.7mmの厚さに形成した。フォトポリマーの組成は上記本発明のものと同様である。
【０１０５】
＜ホログラフィック記録再生＞
上記媒体の一部に、非特許文献１に示される光学系と同等の光学系を用いて２光束干渉法によってホログラフィック記録を行なった。信号光を垂直入射とし、参照光の入射角を変化させながらの角度多重とペリストロフィック多重とを組み合わせて３４８多重記録を行なった。光源には波長が532nmのYAGレーザを用いた。記録した信号は、2/4変調された122.5kビットから成るページデータである。入射光は信号光、参照光とも円偏光とした。
【０１０６】
記録の際、媒体の裏面側（ポリカーボネート基板側）に設けた電磁石に電流を流し、媒体の記録位置での磁界の強さが約8x104 A/mになるように調整した。これによって、偏光可変層のファラデー回転角を90°とし、第２の偏光層で消光状態とした。このとき、反射層による反射光を検出して得られる反射率は約１％であった。
【０１０７】
ホログラフィック記録の後、中心波長が520nmのLEDを用いて記録位置に照射し、フォトポリマーを安定化させた。
【０１０８】
再生は上記光学系で、参照光のみを照射して行なった。このとき、非特許文献１に示されるように、記録位置に対してペリストロフィック方向に180°回転させ、位相共役再生とした。
【０１０９】
また、電磁石に流す電流を切り、媒体には磁界が印加されないようにした。これによって、偏光可変層でファラデー回転を起こさず第２の偏光層で透過状態となり、反射層において十分な光量の反射光（位相共役参照光）が得られ、大きな再生光が得られる。再生状態における媒体の反射率は約６０％と大きな値であった。
【０１１０】
図１７に、両媒体の３４８多重記録におけるSNRの推移を示す。SNR は特許文献１に示されているように、再生光Ｌ４により再生された画像の中央の２．５キロビットにおける各記録ビットに対応した位置の信号強度を、２５６階調の信号レベルに振り分けた。振り分けた記録ビットを更に、“０”か“１”かで振り分けてそれぞれのヒストグラムを作成した。このときの“０”の平均値及び分散をそれぞれμ０、σ０２とし、“１”の平均値及び分散をそれぞれμ１、σ１２とした場合に、ＳＮＲ＝（μ１−μ０）／（σ１２＋σ０２）１／２ として求めた。
【０１１１】
SNRの平均値は本発明の場合3.94の高い値が得られた。記録時の反射光の影響が少ないのでノイズが低く、また再生時に反射層の反射率が高いために信号が高く、結果的に高いSNRが得られたものである。
【０１１２】
比較用媒体では、記録時の反射光の影響でノイズが高いためにSNRが劣化したものである。
【０１１３】
図１９に、再生して得られた画像における中心の50 x 50 ビットを拡大して示す。本発明による媒体では、再生画像はドットが鮮明で、記録信号であるSLM（空間光変調器）像の再現性が良いのに対し、比較用媒体ではノイズ光が重畳しているためにパターンが不鮮明で、記録信号に対する再現性が悪い。
【０１１４】
以上、本発明を上記具体例に基づいて詳細に説明したが、本発明は上記具体例に限定されるものではなく、本発明の範疇を逸脱しない限りにおいてあらゆる変形や変更が可能である。
【符号の説明】
【０１１５】
１０，２０，３０，４０，５０  ホログラフィック記録媒体
１１  ホログラフィック記録層
１２  偏光可変層
１３  第１の偏光吸収層
１４  反射層
２８  第２の偏光吸収層
【図１】
2011070750.tif 000003
【図２】
2011070750.tif 000004
【図３】
2011070750.tif 000005
【図４】
2011070750.tif 000006
【図５】
2011070750.tif 000007
【図６】
2011070750.tif 000008
【図７】
2011070750.tif 000009
【図８】
2011070750.tif 000010
【図９】
2011070750.tif 000011
【図１０】
2011070750.tif 000012
【図１１】
2011070750.tif 000013
【図１２】
2011070750.tif 000014
【図１３】
2011070750.tif 000015
【図１４】
2011070750.tif 000016
【図１５】
2011070750.tif 000017
【図１６】
2011070750.tif 000018
【図１７】
2011070750.tif 000019
【図１８】
2011070750.tif 000020
【図１９】
2011070750.tif 000021